【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
可変的な透過装置であって、
第１の偏光軸を有する第１の均一偏光子と、
第２の偏光軸を有する第２の均一偏光子と、
前記第１及び第２の偏光子の間に位置し、且つ、隣接する第１の領域と光軸、厚さ又は複屈折率の少なくとも１つが異なるように構成された第１の領域を含む、第１の模様付けされた波長リターダ、及び、
前記第１及び第２の偏光子の間に位置し、且つ、隣接する第２の領域と光軸、厚さ又は複屈折率の少なくとも１つが異なるように構成された第２の領域を含む、第２の模様付けされた波長リターダを含み、
前記第１又は第２の波長リターダが、同第１又は第２の波長リターダの他方に対して直線的に移動するように構成された装置。
【請求項２】
請求項１に記載の可変的な透過装置において、
一つの第１の領域および一つの第２の領域を通過して装置を透過する光量は、前記一つの第１の領域および前記一つの第２の領域とは光軸、厚さ又は複屈折率の少なくとも１つが異なる他の一つの第２の領域を通過して装置を透過する光量と、異なる、装置。
【請求項３】
請求項１又は２に記載の可変的な透過装置において、
前記第１の偏光子、一つの第１の領域、及び一つの第２の領域を通過した光の偏光状態は、前記第１の偏光子、前記一つの第１の領域、及び前記一つの第２の領域とは光軸、厚さ又は複屈折率の少なくとも１つが異なる他の一つの第２の領域を通過した光の偏光状態と異なる、装置。
【請求項４】
請求項１〜３のいずれか一項に記載の可変的な透過装置において、
前記第１の波長リターダおよび前記第２の波長リターダが第１の相対位置にあるとき、一つの第１の領域および当該一つの第１の領域に対面する第２の領域を通過して装置を透過する光量は、前記一つ第１の領域とは光軸、厚さ又は複屈折率の少なくとも１つが異なる他の一つの第１の領域および当該一つの第１の領域に対面する第２の領域を通過して装置を透過する光量と同一である、装置。
【請求項５】
請求項１〜４のいずれか一項に記載の可変的な透過装置において、
前記第１の波長リターダおよび前記第２の波長リターダが第１の相対位置にあるとき、前記第１の偏光子、一つの第１の領域、及び当該一つの第１の領域に対面する第２の領域を通過した光の偏光状態は、前記第１の偏光子、前記一つ第１の領域とは光軸、厚さ又は複屈折率の少なくとも１つが異なる他の一つの第１の領域、及び当該一つの第１の領域に対面する第２の領域を通過した光の偏光状態と同一である、装置。
【請求項６】
可変的な透過装置であって、
第１の偏光子と、
第２の偏光子と、
前記第１及び第２の偏光子の間に位置し、且つ、隣接する第１の領域と光軸の方向が異なるように構成された第１の領域を含む、第１の模様付けされた波長リターダ、及び、
前記第１及び第２の偏光子の間に位置し、且つ、隣接する第１の領域と光軸の方向が異なるように構成された第２の領域を含む、第２の模様付けされた波長リターダを含み、
前記第１又は第２の波長リターダが、同第１又は第２の波長リターダの他方に対して直線的に移動するように構成された装置。
【請求項７】
請求項６に記載の可変的な透過装置において、
一つの第１の領域および一つの第２の領域を通過して装置を透過する光量は、前記一つの第１の領域および前記一つの第２の領域とは光軸の方向が異なる他の一つの第２の領域を通過して装置を透過する光量と、異なる、装置。
【請求項８】
請求項６又は７に記載の可変的な透過装置において、
前記第１の偏光子、一つの第１の領域、及び一つの第２の領域を通過した光の偏光状態は、前記第１の偏光子、前記一つの第１の領域、及び前記一つの第２の領域とは光軸の方向が異なる他の一つの第２の領域を通過した光の偏光状態と異なる、装置。
【請求項９】
請求項６〜８のいずれか一項に記載の可変的な透過装置において、
前記第１の波長リターダおよび前記第２の波長リターダが第１の相対位置にあるとき、一つの第１の領域および当該一つの第１の領域に対面する第２の領域を通過して装置を透過する光量は、前記一つ第１の領域とは光軸の方向が異なる他の一つの第１の領域および当該一つの第１の領域に対面する第２の領域を通過して装置を透過する光量と同一である、装置。
【請求項１０】
請求項６〜９のいずれか一項に記載の可変的な透過装置において、
前記第１の波長リターダおよび前記第２の波長リターダが第１の相対位置にあるとき、前記第１の偏光子、一つの第１の領域、及び当該一つの第１の領域に対面する第２の領域を通過した光の偏光状態は、前記第１の偏光子、前記一つ第１の領域とは光軸の方向が異なる他の一つの第１の領域、及び当該一つの第１の領域に対面する第２の領域を通過した光の偏光状態と同一である、装置。
【請求項１１】
請求項１〜１０のいずれか一項に記載の可変的な透過装置において、
前記第１の波長リターダおよび前記第２の波長リターダが第１の相対位置にあるときに一つの第１の領域および当該一つの第１の領域に対面する第２の領域を通過して装置を透過する光量は、前記第１の波長リターダおよび前記第２の波長リターダが前記第１の相対位置とは異なる第２の相対位置にあるときに前記一つの第１の領域および当該一つの第１の領域に対面する第２の領域を通過して装置を透過する光量と、異なる、装置。
【請求項１２】
請求項１〜１１のいずれか一項に記載の可変的な透過装置において、
前記第１の波長リターダおよび前記第２の波長リターダが第１の相対位置にあるときに前記第１の偏光子、前記一つの第１の領域、及び当該一つの第１の領域に対面する第２の領域を通過した光の偏光状態は、前記第１の波長リターダおよび前記第２の波長リターダが前記第１の相対位置とは異なる第２の相対位置にあるときに前記第１の偏光子、前記一つの第１の領域、及び当該一つの第１の領域に対面する第２の領域を通過した光の偏光状態と異なる、装置。
【請求項１３】
請求項１〜１２のいずれか一項に記載の可変的な透過装置において、
前記第１の領域は４分の１波長板を含み、前記第２の領域は４分の１波長板を含む、装置。
【請求項１４】
請求項１〜１２のいずれか一項に記載の可変的な透過装置において、
前記第１の領域は半波長板を含み、前記第２の領域は半波長板を含む、装置。
【請求項１５】
請求項１〜１４のいずれか一項に記載の可変的な透過装置において、
前記第１及び第２の波長リターダは、
必要に応じて厚さを変化させるように構成された模様付けされた液晶ポリマー、
厚さを変化させるように構成された成形型で作られた液晶ポリマー、
延伸ポリマーフィルム、
プリントされた自己集合液晶、
熱処理される液晶ポリマー、
らせん状の液晶ポリマー、
捩れた液晶ポリマー、又は、
コレステリック液晶
を含む、装置。
【請求項１６】
請求項１〜１５のいずれか一項に記載の可変的な透過装置において、
前記第１の偏光子の第１の偏光軸及び前記第２の偏光子の第２の偏光軸が並行である装置。
【請求項１７】
請求項１〜１６のいずれか一項に記載の可変的な透過装置において、
前記第１の偏光子の第１の偏光軸及び前記第２の偏光子の第２の偏光軸が並行でない装置。
【請求項１８】
請求項１〜１７のいずれか一項に記載の可変的な透過装置において、
前記第１及び第２の偏光子は、ヨウ素添加偏光子、ワイヤーグリッド偏光子、塗布可能な偏光子、又は、反射偏光子のいずれか１つである装置。
【請求項１９】
請求項１〜１８のいずれか一項に記載の可変的な透過装置において、
前記第１の模様付けされた波長リターダは、第１のパネルにある前記第１の偏光子に接続され、且つ、
前記第２の模様付けされた波長リターダは、前記第１の模様付けされた波長リターダに対して直線的に移動するように構成された、装置。
【請求項２０】
請求項１〜１９のいずれか一項に記載の可変的な透過装置において、
前記第１の模様付けされた波長リターダは、第１のパネルにある前記第１の偏光子に接続され、
前記第２の模様付けされた波長リターダは、第２のパネルにある前記第２の偏光子に接続され、且つ、
前記第１のパネルは、前記第２のパネルに対して直線的に移動するように構成された、装置。
【請求項２１】
請求項１〜２０のいずれか一項に記載の可変的な透過装置において、
前記第１の模様付けされた波長リターダは、回転支持に接続された装置。
【請求項２２】
壁に固定された第１及び第２のウィンドウプレートと
前記第１及び第２のウィンドウプレートの間に配置された請求項１〜２１のいずれか一項に記載の装置と、を備える、窓。